(57)【要約】      （修正有）【課題】キャリーバッグのカバーは、使用していないときに荷物になるので、これを改善する。【解決手段】バッグカバー１００は、本体カバー１と、ハンドルＣ１が貫通するスリーブ部２とからなる。スリーブ部２は、内部が３つに区切られており、その中央部分が収納部である。収納部には、その下部の開口から折り畳んだ本体カバー１を入れて収納する。その両側には、キャリーバッグＣのハンドルＣ１を通すための第一挿通部および第二挿通部が隣接して設けられる。本体カバー１を収納部に収納しているときにキャリーバッグＣのハンドルＣ１を挿通する。第二挿通部は、前記本体カバー１を収納部に折り畳んで収納した状態で小物入れとなる機能を有する。本体カバー１を収納部に収納し、第一挿通部にハンドルＣ１を通すことでバッグカバー１００をハンドルＣ１に固定できるし、第二挿通部に財布等の小物を収納できる。【選択図】図１
2015080527.tif 000002
【特許請求の範囲】
【請求項１】
キャリーバッグに覆い被せられると共に上下逆で使用できる本体カバーと、
キャリーバッグに覆い被せた状態における前記本体カバーの頂部に設けられると共に少なくとも前記キャリーバッグの伸縮性のハンドルを通す第一挿通部、前記本体カバーを収納する収納部および前記ハンドルを通す第二挿通部を順に隣接して有するスリーブ部と、
を有することを特徴とするバッグカバー。
【請求項２】
前記スリーブ部の上部開口には小カバーが設けられていることを特徴とする請求項１に記載のバッグカバー。
【請求項３】
キャリーバッグに覆い被せられると共に上下逆で使用できる本体カバーと、
キャリーバッグに覆い被せた状態における前記本体カバーの頂部に設けられると共に少なくとも前記キャリーバッグの伸縮性のハンドルを通す引出部と、
を有することを特徴とするバッグカバー。
【発明の詳細な説明】
【技術分野】
【０００１】
本発明は、キャリーバッグにかぶせて用いるバッグカバーに関するものである。
【背景技術】
【０００２】
従来から特許文献１に記載されているようなバッグカバーが知られている。このバッグカバーは、キャリーバッグに被せる構造であってキャリーバッグの上部のハンドルと、引き出し把持部とに相当する位置に切れ目を設けて、当該ハンドルおよび把持部を挿通可能とした構造である。
【先行技術文献】
【特許文献】
【０００３】
【特許文献１】登録実用新案３１１２５９７号公報
【発明の概要】
【発明が解決しようとする課題】
【０００４】
しかしながら、このバッグカバーでは、使用していないときは、折り畳んでキャリーカート等に収納しなければ持ち運びに不便である。また、使用していない状態では何らの機能も備えていないので、単なる荷物となってしまう。この発明は、これらの問題点を解決するためになされたものである。
【課題を解決するための手段】
【０００５】
本発明に係るバッグカバーは、キャリーバッグに覆い被せられると共に上下逆で使用できる本体カバーと、キャリーバッグに覆い被せた状態における前記本体カバーの頂部に設けられると共に少なくとも前記キャリーバッグの伸縮性のハンドルを通す第一挿通部、前記本体カバーを収納する収納部および前記ハンドルを通す第二挿通部を順に隣接して有するスリーブ部とを有することを特徴とする。
【０００６】
また、本発明に係るバッグカバーは、上記発明において、前記スリーブ部の上部開口には小カバーが設けられていることを特徴とする。
【０００７】
また、本発明に係るバッグカバーは、キャリーバッグに覆い被せられると共に上下逆で使用できる本体カバーと、キャリーバッグに覆い被せた状態における前記本体カバーの頂部に設けられると共に少なくとも前記キャリーバッグの伸縮性のハンドルを通す引出部とを有することを特徴とする。
【図面の簡単な説明】
【０００８】
【図１】この発明の実施の形態１にかかるバッグカバーを示す斜視図である。
【図２】図１のバッグカバーを示す側面図である。
【図３】図１に示したバッグカバーのスリーブ部の断面図である。
【図４】バッグカバーの本体カバーを収納した状態でキャリーバッグに装着した状態を示す説明図である。
【図５】本体カバーを折りたたんで収納する手順を示す説明図である。
【図６】バッグカバーの本体カバーを収納した状態でキャリーバッグに装着した状態を示す説明図である。
【図７】バッグカバーの本体カバーを収納した状態でキャリーバッグに装着した状態を示す説明図である。
【図８】バッグカバーを逆さにしてトートバックとして用いる状態を示す説明図である。
【図９】バッグカバーを逆さにしてトートバックとして用いる状態を示す説明図である。
【図１０】バッグカバーを逆さにしてトートバックとして用いる状態を示す説明図である。
【図１１】この発明の実施の形態２に係るバッグカバーを示す斜視図である。
【図１２】図１１に示したバッグカバーの側面図である。
【図１３】図１１に示したバッグカバーの折り畳み方法を示す説明図である。
【図１４】この発明の実施の形態３に係るバッグカバーを示す斜視図である。
【図１５】この発明の実施の形態３に係るバッグカバーの変形例を示す斜視図である。
【図１６】この発明の実施の形態４にかかるバッグカバーを示す斜視図である。
【発明を実施するための形態】
【０００９】
（実施の形態１）
図１は、この発明の実施の形態１にかかるバッグカバーを示す斜視図である。図２は、図１のバッグカバーを示す側面図である。このバッグカバー１００は、キャリーバッグＣ全体を包み込むような形状および大きさを有する本体カバー１と、本体カバー１の上面であってキャリーバッグＣの伸縮性のハンドルＣ１が貫通するスリーブ部２とからなる。本体カバー１は、キャリーバッグＣを覆い被せることが可能であり且つ上下逆にすることでトートバッグとして使用できる構造である（詳細は後述する）。スリーブ部２は、キャリーバッグＣの上部の上下伸縮するハンドルＣ１を通すことができる。
【００１０】
図３は、図１に示したバッグカバーのスリーブ部の断面図である。スリーブ部２は、内部が３つに区切られており、その中央部分が収納部３である。収納部３の上部は開口していても閉じていても良い。収納部３には、その下部の開口から折り畳んだ本体カバー１を入れて収納する。その両側には、キャリーバッグＣのハンドルＣ１を通すための第一挿通部４および第二挿通部５が隣接して設けられる。第一挿通部４は、上下が開口しており、本体カバー１を収納部３に収納しているときにキャリーバッグＣのハンドルＣ１を挿通するものである。第二挿通部５は、上下が開口しており、下部の開口は本体カバー１の内側に対して開口する。第二挿通部５は、キャリーバッグＣに被せたときにハンドルＣ１が挿通される。また、第二挿通部５は、前記本体カバー１を収納部３に折り畳んで収納した状態で小物入れとなる機能を有する。なお、前記収納部３は、本体カバー１を収納した際に当該本体カバー１がはみ出ないように下部開口に面テープやスナップボタン等による閉じ部を有する（図示省略）。
【００１１】
スリーブ部２の上部開口には小カバー６が設けられている。小カバー６は、当該上部開口を覆うように設けられたフラップ状であり、根元はスリーブ部２の収納部３及び第二挿通部５の間の仕切の上部一辺に設けられ、先端にはスナップボタン７が設けられている。スナップボタン７は、スリーブ部２の上部開口の他辺（第二挿通部５の上部一辺周辺）に対して着脱可能とする。小カバー６により雨水等の侵入を防止できる。また、第二挿通部５に収納した小物を保護し飛び出るのを防止できる。なお、小カバー６は、第一挿通部４の上部一辺に設けても良い。そうすれば、第一挿通部４、収納部３および第二挿通部５を上部を全てカバーできる。
【００１２】
バッグカバー１００は、ナイロン等の防水性の素材からなる。また、布の面に防水加工を施した素材により構成してもよい。
【００１３】
図５、本体カバーを折りたたんで収納する手順を示す説明図である。例えば、図５（ａ）に示すように、本体カバー１を広げた状態から左右側を内側に折りたたむ。続いて、図５（ｂ）に示すように、小さく長手方向に折りたたむ。最後に、図５（ｃ）に示すように、収納部３に折り畳んだ本体カバー１を入れ込んで、開口部を閉じる。なお、開口部は、図示しないが面テープ等で閉じた状態を保持できる。このスリーブ部２の周囲に適当な長さの下げバンドを設けるようにすれば、手提げかばんとしても使用できる。
【００１４】
図６及び図７は、バッグカバーの本体カバー１を収納した状態でキャリーバッグに装着した状態を示す説明図である。本体カバー１を収納部３に収納した状態で、第二挿通部５は本体カバー１が折り畳まれたことで底部が形成され、小物入れとして機能するようになる（図５参照）。小カバー６を第二挿通部５の上部に被せれば、内部に収納した小物を保護できる。そして、本体カバー１を収納部３に収納した状態で、バッグカバー１００のスリーブ部２の第一挿通部４にキャリーバッグＣのハンドルＣ１を挿通する。これにより、本体カバー１を収納した状態でもバッグカバー１００をハンドルＣ１に固定できるし、第二挿通部５に財布等の小物を収納できて便利である。また、図７に示すように、スリーブ部２の表面にゴム製等の伸縮性があるバンド１０を設けることで、ペットボトルＰ等を固定できる。
【００１５】
図８乃至図１０は、バッグカバーを逆さにしてトートバックとして用いる状態を示す説明図である。図８に示すように、このバッグカバー１００は、上下逆にすることで通常のバッグとなる。図８における大開口の長手方向の両辺近傍には、取っ手８が設けられている。この取っ手８の長さは、手でさげるのにちょうどよい寸法とする。図１０（ａ）に示すように、大開口の周縁にホールを形成してこの内部に紐９を通すことで、当該大開口をしぼめて閉じることができるようにする。このように、上下を逆にすることでトートバッグとして使用できる。スリーブ部２は、図９に示すように、側面に折り曲げ、面テープで固定する。この状態でスリーブ部２は、トートバッグのポケットとして機能する。即ち、第二挿通部５がポケットとして使用可能であり、内部に小物を収納して小カバー６を第二挿通部５の上部に被せることができる。また、スリーブ部２を折り曲げることで底が形成されるので、内部の小物がトートバッグの本体側に移動することがない。
【００１６】
図１０（ｂ）に示すように、バッグカバー１００の大開口の周縁にループ１０を複数設け、このループ１０に、円環に形成したバンド状の取っ手１１を通した構成でも良い。大開口の長辺周縁に設けたループ１０の間隔を広くして、取っ手１１を上部に引き出しやすくする。トートバッグとして使用する際には、取っ手１１を引き出す。カバーとして使用する際は、図１０（ｃ）に示すように、取っ手１１を伸ばして大開口の周縁に沿って位置させる。このようにすれば、取っ手１１が邪魔にならない。
【００１７】
以上、この発明のバッグカバー１００によれば、キャリーバッグＣにかぶせて防水できるうえ、上下逆にすることで通常のトートバックのように使用できる。さらに、本体カバー１を折りたたんで収納すればコンパクトになり、キャリーバッグＣのハンドルＣ１に固定して小物入れにできる。また、スリーブ部２に下げバンドをつければ、ポーチとして機能する。
【００１８】
（実施の形態２）
図１１は、この発明の実施の形態２に係るバッグカバーを示す斜視図である。図１２は、図１１に示したバッグカバーの側面図である。図１３は、図１１に示したバッグカバーの折り畳み方法を示す説明図である。このバッグカバー１５０は、上記実施の形態１に示したバッグカバー１００と略同じ構造であるが、スリーブ部１５２がキャッリーバッグＣの伸縮性のハンドルＣ１が貫通する１つの筒構造である点が異なる。小カバー１５６は、スリーブ部１５２の上部一辺に設けられる。先端にはスナップボタン７が設けられている。スリーブ部１５２の根元にもバンド１５３が設けられ、その先端にはスナップボタン１５７が設けられる。
【００１９】
図１３（ａ）に示すように、本体カバー１を広げた状態から左右側を内側に折りたたむ。続いて、図１３（ｂ）に示すように、小さく長手方向に折りたたむ。最後に、図４（ｃ）及び（ｄ）に示すように、バンド１５３と小カバー１５６をスナップボタン７，１５７で連結し、本体カバー１を纏める。これにより、コンパクトにまとまり、携帯に便利になる。
【００２０】
（実施の形態３）
図１４は、この発明の実施の形態３に係るバッグカバーを示す斜視図である。このバッグカバー４００では、キャリーバッグのハンドルの位置に当該ハンドルを引き出す引出部を設けた点に特徴がある。引出部４０１の位置は一般的なハンドルＨの位置に合わせて設ける。引出部４０１には、図１４（ａ）に示すように、スリーブ部４０２が設けられる。スリーブ部４０２の上端の一辺側にはフラップ状の蓋４０３が設けられる。蓋４０３の先端にはスナップボタン４０４が設けられ、他辺に着脱可能となる。このスリーブ部４０２及び蓋４０３により、ハンドルＨの引出部４０１から雨が侵入するのを防止できる。
【００２１】
また、図１４（ｂ）に示すように、引出部４０１を帯状部材４５１，４５２が２枚重ねられ且つ帯状部材４５１，４５２の短辺同士が接合された構成とする。上側になる帯状部材４５１の長辺の一方のみがバッグカバー４００の上面の素材と接合している。下側になる帯状部材４５２の長辺の一方のみもバッグカバー４００の上面の素材と接合している。上側の帯状部材４５１の当該接合した長辺と下側の帯状部材４５２の当該接合した長辺とは反対の位置になる。換言すれば、各帯状部材４５１，４５２の開口する長辺も反対になり、よって帯状部材同士が重なってその間を開いてハンドルＨを引き出すような形になる。帯状部材４５１，４５２はハンドルＨを出していない状態で２枚重なった状態となり、当接面にはファスナや面テープ等が設けられているため、当該帯状部材４５１，４５２を重ねた状態で密閉できる。これにより、雨の侵入を防止できる。その他の構成は実施の形態１及び２と同様であるため、説明を省略する。
【００２２】
また、別の実施の形態として、図１５に示すように、本体カバー１の丈を短くして、腹巻状のサイドカバー１７１を設けても良い。図１５（ａ）に示すように、サイドカバー１７１は、筒状の端縁にはゴムが通されており、全体的に伸縮性が高い構造となる。また、図１５（ｂ）に示すように、本体カバー１の側面には、本体カバー１を締め付けるバンド１７２を設けてもよい。バンド１７２の端部同士は面テープ等により長さ調製できる。使用の際は、本体カバー１をサイドカバー１７２に一部重ねるようにするのが良い。このように、全体を本体カバー１とサイドカバー１７１の二段構造とすることで、大きさの異なるキャリーバッグに対応できる。また、図示しないが、サイドカバー１７１の上端と本体カバー１の下端を縫い合わせ又は一体化した構造とし、サイドカバー１７１の不使用時には内側又は外側に折り曲げておくようにしても良い。
【００２３】
（実施の形態４）
図１６は、この発明の実施の形態４にかかるバッグカバーを示す斜視図である。このバッグカバー５００は、実施の形態１に係るバッグカバー１００のスリーブ部２の代わりに引出部５０２を設けた点が異なる。その他の構成は実施の形態１と同じであるので説明を省略する。係る構成であれば、構造が簡単であるので、製造が容易である。
【００２４】
図１６に示すように、引出部４０２を帯状部材５５１，５５２が２枚重ねられ且つ帯状部材５５１，５５２の短辺同士が接合された構成とする。上側になる帯状部材５５１の長辺の一方のみがバッグカバー５００の上面の素材と接合している。下側になる帯状部材５５２の長辺の一方のみもバッグカバー５００の上面の素材と接合している。上側の帯状部材５５１の当該接合した長辺と下側の帯状部材５５２の当該接合した長辺とは反対の位置になる。換言すれば、各帯状部材５５１，５５２の開口する長辺も反対になり、よって帯状部材同士が重なってその間を開いてハンドルＣ１を引き出すような形になる。帯状部材５５１，５５２はハンドルＣ１を出していない状態で２枚重なった状態となり、当接面にはファスナや面テープ等が設けられているため、当該帯状部材５５１，５５２を重ねた状態で密閉できる。これにより、雨の侵入を防止できる。
【符号の説明】
【００２５】
１００  バッグカバー
１  本体カバー
２  スリーブ部
３  収納部
４  第一挿通部
５  第二挿通部
【図１】
2015080527.tif 000003
【図２】
2015080527.tif 000004
【図３】
2015080527.tif 000005
【図４】
2015080527.tif 000006
【図５】
2015080527.tif 000007
【図６】
2015080527.tif 000008
【図７】
2015080527.tif 000009
【図８】
2015080527.tif 000010
【図９】
2015080527.tif 000011
【図１０】
2015080527.tif 000012
【図１１】
2015080527.tif 000013
【図１２】
2015080527.tif 000014
【図１３】
2015080527.tif 000015
【図１４】
2015080527.tif 000016
【図１５】
2015080527.tif 000017
【図１６】
2015080527.tif 000018